【手続補正書】
【提出日】平成23年11月2日(2011.11.2)
【手続補正１】
【補正対象書類名】特許請求の範囲
【補正対象項目名】全文
【補正方法】変更
【補正の内容】
【特許請求の範囲】
【請求項１】
撮像素子を有し、入射する光信号を電気信号に変換して画像信号を取得する撮像部と、
前記撮像部により取得された画像信号から外部閃光の検出をして、外部閃光の検出結果を示す閃光検出信号を出力する閃光検出部と、
前記閃光検出信号により制御され、前記閃光検出部により閃光が検出していない場合、前記撮像部により取得された画像信号が形成する画像の全画素に対して、所定のガンマ補正特性により階調変換し、前記閃光検出部により閃光が検出されている場合、前記撮像部により取得された画像信号が形成する画像の個々の画素について、処理対象である注目画素とその周辺画素の平均輝度レベルである周辺平均輝度レベルにより適用する階調変換特性を決定し、決定した階調変換特性により、前記注目画素に対して階調変換を行う適応ガンマ処理部と、
を備え、
前記適応ガンマ処理部は、前記閃光検出部により閃光が検出されている場合、前記周辺平均輝度レベルが高いほど、ガンマ値を大きくしたガンマ補正特性を前記階調変換特性に決定し、前記注目画素に対して階調変換を行う、
撮像装置。
【請求項２】
前記適応ガンマ処理部は、前記注目画素と、前記注目画素と同一ライン上に存在する複数の画素との平均輝度レベルを前記周辺平均輝度レベルとする、
請求項１に記載の撮像装置。
【請求項３】
前記適応ガンマ処理部は、前記注目画素と、前記注目画素と同一ライン上に存在する全ての画素との平均輝度レベルを前記周辺平均輝度レベルとする、
請求項１に記載の撮像装置。
【請求項４】
撮像素子を有し、入射する光信号を電気信号に変換して画像信号を取得する撮像部を備える撮像装置に用いられる撮像方法であって、
前記撮像部により取得された画像信号から外部閃光の検出をして、外部閃光の検出結果を示す閃光検出信号を出力する閃光検出ステップと、
前記閃光検出信号により制御され、前記閃光検出部により閃光が検出していない場合、前記撮像部により取得された画像信号が形成する画像の全画素に対して、所定のガンマ補正特性により階調変換し、前記閃光検出部により閃光が検出されている場合、前記撮像部により取得された画像信号が形成する画像の個々の画素について、処理対象である注目画素とその周辺画素の平均輝度レベルである周辺平均輝度レベルにより適用する階調変換特性を決定し、決定した階調変換特性により、前記注目画素に対して階調変換を行う適応ガンマ処理ステップと、
を備え、
前記適応ガンマ処理ステップでは、前記閃光検出ステップにより閃光が検出されている場合、前記周辺平均輝度レベルが高いほど、ガンマ値を大きくしたガンマ補正特性を前記階調変換特性に決定し、前記注目画素に対して階調変換を行う、
撮像方法。
【請求項５】
撮像素子を有し、入射する光信号を電気信号に変換して画像信号を取得する撮像部を備える撮像装置に用いられる撮像方法をコンピュータに実行させるプログラムであって、
前記撮像部により取得された画像信号から外部閃光の検出をして、外部閃光の検出結果を示す閃光検出信号を出力する閃光検出ステップと、
前記閃光検出信号により制御され、前記閃光検出部により閃光が検出していない場合、前記撮像部により取得された画像信号が形成する画像の全画素に対して、所定のガンマ補正特性により階調変換し、前記閃光検出部により閃光が検出されている場合、前記撮像部により取得された画像信号が形成する画像の個々の画素について、処理対象である注目画素とその周辺画素の平均輝度レベルである周辺平均輝度レベルにより適用する階調変換特性を決定し、決定した階調変換特性により、前記注目画素に対して階調変換を行う適応ガンマ処理ステップと、
を備え、
前記適応ガンマ処理ステップでは、前記閃光検出ステップにより閃光が検出されている場合、前記周辺平均輝度レベルが高いほど、ガンマ値を大きくしたガンマ補正特性を前記階調変換特性に決定し、前記注目画素に対して階調変換を行う、
撮像方法をコンピュータに実行させるプログラム。
【請求項６】
撮像素子を有し、入射する光信号を電気信号に変換して画像信号を取得する撮像部を備える撮像装置に用いられる集積回路であって、
前記撮像部により取得された画像信号から外部閃光の検出をして、外部閃光の検出結果を示す閃光検出信号を出力する閃光検出部と、
前記閃光検出信号により制御され、前記閃光検出部により閃光が検出していない場合、前記撮像部により取得された画像信号が形成する画像の全画素に対して、所定のガンマ補正特性により階調変換し、前記閃光検出部により閃光が検出されている場合、前記撮像部により取得された画像信号が形成する画像の個々の画素について、処理対象である注目画素とその周辺画素の平均輝度レベルである周辺平均輝度レベルにより適用する階調変換特性を決定し、決定した階調変換特性により、前記注目画素に対して階調変換を行う適応ガンマ処理部と、
を備え、
前記適応ガンマ処理部は、前記閃光検出部により閃光が検出されている場合、前記周辺平均輝度レベルが高いほど、ガンマ値を大きくしたガンマ補正特性を前記階調変換特性に決定し、前記注目画素に対して階調変換を行う、
集積回路。
【手続補正２】
【補正対象書類名】明細書
【補正対象項目名】００１３
【補正方法】変更
【補正の内容】
【００１３】
第２の発明は、第１の発明であって、適応ガンマ処理部は、注目画素と、注目画素と同一ライン上に存在する複数の画素との平均輝度レベルを周辺平均輝度レベルとする。
【手続補正３】
【補正対象書類名】明細書
【補正対象項目名】００１４
【補正方法】変更
【補正の内容】
【００１４】
第３の発明は、第１の発明であって、適応ガンマ処理部は、注目画素と、注目画素と同一ライン上に存在する全ての画素との平均輝度レベルを周辺平均輝度レベルとする。
この撮像装置では、周辺平均輝度レベルを算出する対象の画素領域を撮像画像の１ライン単位で設定することができるので、簡易かつ効果的に、適応ガンマ処理部による階調補正処理を行うことができる。
第４の発明は、撮像素子を有し、入射する光信号を電気信号に変換して画像信号を取得する撮像部を備える撮像装置に用いられる撮像方法であって、閃光検出ステップと、適応ガンマ処理ステップと、を備える。
閃光検出ステップでは、撮像部により取得された画像信号から外部閃光の検出をして、外部閃光の検出結果を示す閃光検出信号を出力する。適応ガンマ処理ステップでは、閃光検出信号により制御され、閃光検出部により閃光が検出していない場合、撮像部により取得された画像信号が形成する画像の全画素に対して、所定のガンマ補正特性により階調変換し、閃光検出部により閃光が検出されている場合、撮像部により取得された画像信号が形成する画像の個々の画素について、処理対象である注目画素とその周辺画素の平均輝度レベルである周辺平均輝度レベルにより適用する階調変換特性を決定し、決定した階調変換特性により、注目画素に対して階調変換を行う。そして、適応ガンマ処理ステップでは、閃光検出ステップにより閃光が検出されている場合、周辺平均輝度レベルが高いほど、ガンマ値を大きくしたガンマ補正特性を階調変換特性に決定し、注目画素に対して階調変換を行う。
【手続補正４】
【補正対象書類名】明細書
【補正対象項目名】００１５
【補正方法】変更
【補正の内容】
【００１５】
これにより、第１の発明と同様の効果を奏する撮像方法を実現することができる。
第５の発明は、撮像素子を有し、入射する光信号を電気信号に変換して画像信号を取得する撮像部を備える撮像装置に用いられる撮像方法をコンピュータに実行させるプログラムである。撮像方法は、閃光検出ステップと、適応ガンマ処理ステップと、を備える。
閃光検出ステップでは、撮像部により取得された画像信号から外部閃光の検出をして、外部閃光の検出結果を示す閃光検出信号を出力する。適応ガンマ処理ステップでは、閃光検出信号により制御され、閃光検出部により閃光が検出していない場合、撮像部により取得された画像信号が形成する画像の全画素に対して、所定のガンマ補正特性により階調変換し、閃光検出部により閃光が検出されている場合、撮像部により取得された画像信号が形成する画像の個々の画素について、処理対象である注目画素とその周辺画素の平均輝度レベルである周辺平均輝度レベルにより適用する階調変換特性を決定し、決定した階調変換特性により、注目画素に対して階調変換を行う。そして、適応ガンマ処理ステップでは、閃光検出ステップにより閃光が検出されている場合、周辺平均輝度レベルが高いほど、ガンマ値を大きくしたガンマ補正特性を階調変換特性に決定し、注目画素に対して階調変換を行う。
【手続補正５】
【補正対象書類名】明細書
【補正対象項目名】００１６
【補正方法】変更
【補正の内容】
【００１６】
これにより、第１の発明と同様の効果を奏するプログラムを実現することができる。
第６の発明は、撮像素子を有し、入射する光信号を電気信号に変換して画像信号を取得する撮像部を備える撮像装置に用いられる集積回路であって、閃光検出部と、適応ガンマ処理部と、を備える。
閃光検出部は、撮像部により取得された画像信号から外部閃光の検出をして、外部閃光の検出結果を示す閃光検出信号を出力する。適応ガンマ処理部は、閃光検出信号により制御され、閃光検出部により閃光が検出していない場合、撮像部により取得された画像信号が形成する画像の全画素に対して、所定のガンマ補正特性により階調変換し、閃光検出部により閃光が検出されている場合、撮像部により取得された画像信号が形成する画像の個々の画素について、処理対象である注目画素とその周辺画素の平均輝度レベルである周辺平均輝度レベルにより適用する階調変換特性を決定し、決定した階調変換特性により、注目画素に対して階調変換を行う。そして、適応ガンマ処理部は、閃光検出部により閃光が検出されている場合、周辺平均輝度レベルが高いほど、ガンマ値を大きくしたガンマ補正特性を階調変換特性に決定し、注目画素に対して階調変換を行う。
【手続補正６】
【補正対象書類名】明細書
【補正対象項目名】００２０
【補正方法】変更
【補正の内容】
【００２０】
撮像部１は、撮像素子（例えば、ＣＣＤ型イメージセンサやＣＭＯＳ型イメージセンサ）、およびセンサ駆動回路を有し、被写体からの光を光電変換により電気信号に変換し、画像信号として、閃光検出部２および適応ガンマ処理部３に出力する。撮像部１は、連続画像を撮像して、例えば、垂直有効７２０ライン、水平有効１２８０画素、フレーム周波数６０Ｈｚの順次走査画像信号を出力する。
閃光検出部２は、撮像部１から出力される画像信号を入力とし、連続する各フレームの画像（画像信号により形成されるフレーム画像）を比較し、外部閃光の有無を検出する（フレーム画像内に外部閃光の影響を受けている画像信号があるか否かを検出する）。そして、閃光検出部２は、外光閃光の有無を示す閃光検出信号を適応ガンマ処理部３に出力する。